(57)【要約】【課題】放熱部材から放熱された熱に起因して表示装置の表示品位が低下するのを抑制することが可能な表示装置を提供する。【解決手段】このＴＶ１００（表示装置）は、前面側において画像を表示する表示部１０と、表示部１０の背面側に配置されるとともに、ＬＥＤ４２から出射されたバックライト光を表示部１０に導く導光板７と、導光板７の背面側に配置され、ＬＥＤ４２の熱を放熱するヒートシンク３と、導光板７とヒートシンク３との間に配置されるとともに、ヒートシンク３から放出された熱をヒートシンク３に向けて反射可能な熱反射部６１を背面側に含む反射シート６とを備え、ヒートシンク３、熱反射部６１により反射された熱をヒートシンク３の背面側に逃すための熱逃がし孔３３を含む。【選択図】図２
2014153437.tif 000002
【特許請求の範囲】
【請求項１】
前面側において画像を表示する表示部と、
前記表示部の背面側に配置されるとともに、光源から出射されたバックライト光を前記表示部に導く導光板と、
前記導光板の背面側に配置され、前記光源の熱を放熱する放熱部材と、
前記導光板と前記放熱部材との間に配置されるとともに、前記放熱部材から放出された熱を前記放熱部材に向けて反射可能な熱反射部を背面側に含む反射シートとを備え、
前記放熱部材は、前記熱反射部により反射された熱を前記放熱部材の背面側に逃すための熱逃がし部を含む、表示装置。
【請求項２】
前記放熱部材の熱逃がし部は、複数個の熱逃がし孔からなり、
前記複数個の熱逃がし孔は、前記反射シートの熱反射部と対向する位置に形成されており、
前記熱反射部により前記放熱部材に向けて反射された熱が前記複数個の熱逃がし孔から前記放熱部材の背面側に逃がされるように構成されている、請求項１に記載の表示装置。
【請求項３】
前記放熱部材の前記熱逃がし孔は、前記光源からの距離が大きくなるに従い、合計開口面積が大きくなるように形成されている、請求項２に記載の表示装置。
【請求項４】
前記放熱部材と前記反射シートの前記熱反射部とは、互いに、前後方向に所定の間隔を隔てて離間した状態で配置され、
前記放熱部材は、前記熱反射部により反射された熱を前記熱逃がし孔から背面側に逃がすように構成されている、請求項２または３に記載の表示装置。
【請求項５】
前記放熱部材の背面に配置される樹脂製のリアフレームをさらに備え、
前記リアフレームは、内面が黒色系の色になるように構成されている、請求項１〜４のいずれか１項に記載の表示装置。
【請求項６】
前記反射シートは、樹脂により形成され、
前記反射シートの背面側には、前記放熱部材から放出された熱を前記放熱部材に向けて反射可能な金属製の熱反射層が形成されている、請求項１〜５のいずれか１項に記載の表示装置。
【請求項７】
前記光源は、前記導光板の光入射面としての側面に対向するように複数個配置されており、
前記熱反射部は、前記光源が配置される方向に沿った前記光入射面に沿った一方側の端部に対応する領域から他方側の端部に対応する領域にわたって前記反射シートに形成されている、請求項１〜６のいずれか１項に記載の表示装置。
【発明の詳細な説明】
【技術分野】
【０００１】
この発明は、表示装置に関し、特に、放熱部材を備える表示装置に関する。
【背景技術】
【０００２】
従来、放熱部材を含む表示装置が知られている（たとえば、特許文献１参照）。
【０００３】
上記特許文献１には、前面側において画像を表示する液晶パネル（表示部）と、液晶パネルの背面側に配置されるとともに、発光ダイオード（光源）から出射されたバックライト光を液晶パネルに導く導光板とを備えた表示装置が開示されている。また、この表示装置は、導光板の背面側に配置され、発光ダイオードの熱を放熱する放熱部材と、導光板と放熱部材との間に配置される反射シートとを備えている。
【先行技術文献】
【特許文献】
【０００４】
【特許文献１】特開２００６−２３５０９３号公報
【発明の概要】
【発明が解決しようとする課題】
【０００５】
しかしながら、上記特許文献１の表示装置では、放熱部材から放熱された熱が反射シートを介して導光板に伝達されることに起因して、液晶パネルの表示面に放熱部材の形状が映り込んでしまう場合があるので、放熱部材の形状がユーザに視認される可能性があると考えられる。このため、放熱部材から放熱された熱に起因して表示装置の表示品位が低下するという問題点がある。
【０００６】
この発明は、上記のような課題を解決するためになされたものであり、この発明の１つの目的は、放熱部材から放熱された熱に起因して表示装置の表示品位が低下するのを抑制することが可能な表示装置を提供することである。
【課題を解決するための手段】
【０００７】
この発明の一の局面による表示装置は、前面側において画像を表示する表示部と、表示部の背面側に配置されるとともに、光源から出射されたバックライト光を表示部に導く導光板と、導光板の背面側に配置され、光源の熱を放熱する放熱部材と、導光板と放熱部材との間に配置されるとともに、放熱部材から放出された熱を放熱部材に向けて反射可能な熱反射部を背面側に含む反射シートとを備え、放熱部材は、熱反射部により反射された熱を放熱部材の背面側に逃すための熱逃がし部を含む。
【０００８】
この発明の一の局面による表示装置では、上記のように、導光板と放熱部材との間に配置されるとともに、放熱部材から放出された熱を放熱部材に向けて反射可能な熱反射部を背面側に含むように反射シートを設け、熱反射部により反射された熱を放熱部材の背面側に逃すための熱逃がし部を含むように放熱部材を構成することによって、熱反射部により放熱部材から放出された熱が反射シートを介して前面側の導光板に伝達するのを抑制しながら、熱反射部により反射された熱を放熱部材の背面側に逃がして熱反射部により反射された熱が熱反射部（反射シート）と放熱部材との間に蓄積されてしまうのを抑制することができる。これにより、放熱部材から放熱された熱に起因して、放熱部材の形状がユーザに視認されるのを抑制することができる。その結果、放熱部材から放熱された熱に起因して表示装置の表示品位が低下するのを抑制することができる。
【０００９】
上記一の局面による表示装置において、好ましくは、放熱部材の熱逃がし部は、複数個の熱逃がし孔からなり、複数個の熱逃がし孔は、反射シートの熱反射部と対向する位置に形成されており、熱反射部により放熱部材に向けて反射された熱が複数個の熱逃がし孔から放熱部材の背面側に逃がされるように構成されている。このように構成すれば、熱反射部により放熱部材に向けて反射された熱を複数個の熱逃がし孔を介して容易に放熱部材の背面側に逃がすことができるので、熱反射部により反射された熱が熱反射部（反射シート）と放熱部材との間に蓄積されるのを容易に抑制することができる。
【００１０】
この場合、好ましくは、放熱部材の熱逃がし孔は、光源からの距離が大きくなるに従い、合計開口面積が大きくなるように形成されている。このように構成すれば、光源からの距離が相対的に小さい領域では、光源の熱を放熱部材に効率よく吸収させることができるとともに、光源からの距離が相対的に大きい領域では、熱反射部により放熱部材に向けて反射された熱を熱逃がし孔を介して効率よく放熱部材の背面側に逃がすことができる。これにより、光源を効率よく冷却しながら、放熱部材から放熱された熱の影響により表示装置の表示品位が低下するのを抑制することができる。
【００１１】
上記複数個の熱逃がし孔を含む構成において、好ましくは、放熱部材と反射シートの熱反射部とは、互いに、前後方向に所定の間隔を隔てて離間した状態で配置され、放熱部材は、熱反射部により反射された熱を熱逃がし孔から背面側に逃がすように構成されている。このように構成すれば、放熱部材と熱反射部とが直接接している場合と異なり、放熱部材と熱反射部との間の空気を介して放熱部材から熱反射部に熱が放出されるので、熱反射部に対して放熱部材の熱を直接的に伝わりにくくすることができる。
【００１２】
上記一の局面による表示装置において、好ましくは、放熱部材の背面に配置される樹脂製のリアフレームをさらに備え、リアフレームは、内面が黒色系の色になるように構成されている。このように構成すれば、リアフレームの内面が白色になるように構成された場合と異なり、放熱部材の背面側に逃がされた熱を黒色系の色を有するリアフレームに効率よく吸収させることができる。これにより、熱反射部により反射された熱が熱反射部（反射シート）と放熱部材との間に蓄積されてしまうのを効果的に抑制することができる。
【００１３】
上記一の局面による表示装置において、好ましくは、反射シートは、樹脂により形成され、反射シートの背面側には、放熱部材から放出された熱を放熱部材に向けて反射可能な金属製の熱反射層が形成されている。このように構成すれば、反射シートが樹脂により形成されている場合でも、金属製の熱反射層により放熱部材から放出された熱が表示部に伝達するのを容易に抑制することができる。また、背面側に熱反射層を形成した反射シートを設けることにより、専用の熱反射部を別途設ける場合と異なり、部品点数を削減することができる。
【００１４】
上記一の局面による表示装置において、好ましくは、光源は、導光板の光入射面としての側面に対向するように複数個配置されており、熱反射部は、光源が配置される方向に沿った光入射面に沿った一方側の端部に対応する領域から他方側の端部に対応する領域にわたって反射シートに形成されている。このように構成すれば、光源近傍の放熱部材の温度が高くなりやすい領域に熱反射部を設けることができるので、熱反射部により放熱部材から放出された熱が表示部に伝達するのを効果的に抑制することができる。
【発明の効果】
【００１５】
本発明によれば、上記のように、放熱部材から放熱された熱に起因して表示装置の表示品位が低下するのを抑制することができる。
【図面の簡単な説明】
【００１６】
【図１】本発明の一実施形態によるＴＶの全体構成を示した図である。
【図２】本発明の一実施形態によるＴＶのリアフレームに固定されたヒートシンクを示した図である。
【図３】本発明の一実施形態によるＴＶのヒートシンクを示した図である。
【図４】本発明の一実施形態によるＴＶの熱反射部を示した図である。
【図５】図１の５００−５００線に沿った断面図である。
【図６】本発明の一実施形態によるＴＶのヒートシンクと熱反射部とを示した図である。
【図７】本発明の一実施形態の第１変形例によるＴＶのヒートシンクを示した図である。
【図８】本発明の一実施形態の第２変形例によるＴＶのヒートシンクを示した図である。
【図９】本発明の一実施形態の第３変形例によるＴＶのヒートシンクを示した図である。
【図１０】本発明の一実施形態の第４変形例によるＴＶの熱反射部を示した図である。
【発明を実施するための形態】
【００１７】
以下、図１〜図６を参照して、本発明の一実施形態によるＴＶ（テレビジョン装置）１００の構成について説明する。なお、ＴＶ１００は、本発明の「表示装置」の一例である。
【００１８】
本発明の一実施形態によるＴＶ１００は、図１に示すように、開口部１ａを有するフロントフレーム１と、リアフレーム２（図２参照）とを備える。また、フロントフレーム１の開口部１ａからは反射防止シート１１（表示部１０）が露出されるように構成されている。また、ＴＶ１００は、受信部２０により放送信号を受信可能なように構成されている。
【００１９】
ＴＶ１００の内部には、図５および図６に示すように、ヒートシンク３と、複数のＬＥＤ４２（図６参照）を含むＬＥＤモジュール４とが設けられている。また、ヒートシンク３の前面側（Ｘ１方向側）には、背面側（Ｘ２方向側）から順に、クッション５と、反射シート６と、導光板７と、光学シート８とが積層されている。また、ＬＥＤ基板４１の前面側には、樹脂フレーム９が配置されている。また、樹脂フレーム９の前面側には、表示部１０と、反射防止シート１１とがこの順に配置されている。なお、ＬＥＤ４２は、本発明の「光源」の一例である。
【００２０】
ここで、本実施形態では、リアフレーム２は、図２、図５および図６に示すように、ヒートシンク３の背面（Ｘ２方向側）に配置されている。また、リアフレーム２のＹ１方向側には、ヒートシンク３のＹ１方向への移動を規制するリブ状の規制部２１（図２参照）が形成されている。また、リアフレーム２は、Ｘ１方向側の内面が黒色になるように、黒色の樹脂により形成されている。このような、黒色の樹脂は、赤外線（電磁波）として伝達される熱を効率よく吸収することが可能である。なお、ヒートシンク３は、本発明の「放熱部材」の一例である。
【００２１】
また、本実施形態では、図２、図５および図６に示すように、ヒートシンク３は、導光板７の背面側（Ｘ２方向側）に配置されている。また、ヒートシンク３の背面側にはリアフレーム２が配置されている。また、ヒートシンク３は、ＬＥＤ４２の熱を放熱する機能を有している。また、ヒートシンク３は、たとえば、アルミニウムなどの金属材料により構成されている。また、ヒートシンク３は、図２、図３、図５および図６に示すように、ヒートシンク本体部３１と、ＬＥＤ基板固定部３２とを備える。また、ヒートシンク本体部３１は、Ｙ−Ｚ方向に延びるように平坦面状に形成されている。また、ＬＥＤ基板固定部３２は、ヒートシンク３のＹ１方向側の一部が前面側（Ｘ１方向側）に略垂直に折り曲げられて形成されている。
【００２２】
また、ヒートシンク３は、図２に示すように、導光板７のＹ１方向側の一部の領域に対応する形状に形成されている。具体的には、ヒートシンク３は、導光板７の光入射面７１に沿った一方側（Ｚ１方向側）の端部７ａ近傍の領域から他方側（Ｚ２方向側）の端部７ｂ近傍の領域にわたって形成されている。また、ヒートシンク３は、Ｘ方向から見て、平面視において、概略的には長方形形状を有している。
【００２３】
また、ヒートシンク３は、図２および図３に示すように、後述する熱反射部６１により反射された熱をヒートシンク３の背面側（Ｘ２方向側）に逃すための複数個の熱逃がし孔３３を含んでいる。ここで、複数個の熱逃がし孔３３のうち、Ｙ１側寄りの熱逃がし孔３３の内径は相対的に小さく、Ｙ２側寄りの熱逃がし孔３３の内径は相対的に大きい。熱逃がし孔３３は、ＬＥＤ４２からの距離（Ｙ方向）が大きくなるに従い、各々の位置（Ｙ方向）でのＺ方向に沿って配置された熱逃がし孔３３の開口面積を足し合わせた合計開口面積が大きくなるように形成されている。熱逃がし孔３３は、Ｙ１方向側からＹ２方向側に向かうに従って、開口面積（熱逃がし孔３３の内径）が徐々に大きくなるように形成されている。また、各々の熱逃がし孔３３は、略円形状に形成されている。また、複数個の熱逃がし孔３３は、Ｚ方向に沿って、略直線状に配列されている。また、複数個の熱逃がし孔３３は、Ｙ方向に沿って、略直線状に配列されている。また、複数個の熱逃がし孔３３は、互いに、所定の間隔Ｄを隔てて配置されている。具体的には、図２に示すように、複数個の熱逃がし孔３３は、熱逃がし孔３３の中心部Ｃが互いに一定の間隔Ｄを隔てて配置されている。なお、熱逃がし孔３３は、本発明の「熱逃がし部」の一例である。
【００２４】
また、ヒートシンク３には、図２に示すように、反射シート６および導光板７を位置決めするための１対の凸部３４が設けられている。また、凸部３４は、ヒートシンク３のＺ１方向側およびＺ２方向側にそれぞれ１つずつ設けられている。また、凸部３４は、Ｘ１方向側に突出するように形成されている。
【００２５】
ＬＥＤモジュール４は、図２に示すように、ＬＥＤ基板４１と、ＬＥＤ基板４１に実装される複数のＬＥＤ４２とを主に含んでいる。また、ＬＥＤ４２は、導光板７の光入射面７１に対向するように複数個配置されている。ＬＥＤ４２は、導光板７を介して表示部１０に光を供給するように構成されている。また、ＬＥＤモジュール４は、図２、図５および図６に示すように、ＴＶ１００（図１参照）を正面から見た場合に、右側（Ｙ１方向側）に配置されるように構成されている。また、ＬＥＤモジュール４は、ＬＥＤ基板４１がヒートシンク３のＬＥＤ基板固定部３２のＹ２方向側の表面に両面テープ（図示せず）により固定されるように構成されている。
【００２６】
クッション５は、図５および図６に示すように、ヒートシンク３の前面側（Ｘ１方向側）に配置されている。また、クッション５は、Ｚ方向における断面が略矩形形状を有するように構成されている。また、クッション５は、導光板７を前面側（Ｘ１方向側）に向けて支持するように構成されている。また、クッション５は、図５および図６に示すように、ヒートシンク３のＬＥＤ基板固定部３２から所定の間隔を隔てた位置に配置されている。また、クッション５は、衝撃を吸収する材料（たとえば、ウレタンフォームなど）により構成されている。
【００２７】
また、本実施形態では、反射シート６は、図４〜図６に示すように、導光板７のＸ２方向側に配置されている。反射シート６は、導光板７の背面（Ｘ２方向）に光が漏れるのを抑制する機能を有している。また、反射シート６は、導光板７に対応する形状に形成されている。また、反射シート６は、樹脂により形成されている。また、反射シート６は、図５および図６に示すように、導光板７とヒートシンク３との間に配置されるとともに、ヒートシンク３から放出された熱をヒートシンク３に向けて反射可能な熱反射部６１を背面側（Ｘ２方向側）に含んでいる。また、熱反射部６１とヒートシンク３は、互いに、前後方向（Ｘ方向）に所定の間隔を隔てて離間した状態で配置されている。また、反射シート６は、図４に示すように、上下方向（Ｚ方向）に一対の位置決め部６２を有している。位置決め部６２は、ヒートシンク３の凸部３４（図２参照）に対応する位置に形成されている。また、反射シート６は、位置決め部６２をヒートシンク３の凸部３４に係合させて所定の位置に配置されるように構成されている。
【００２８】
また、熱反射部６１は、図４に示すように、平面視において、概略的には略長方形形状を有している。また、熱反射部６１は、ＬＥＤ４２が配置される方向（Ｚ方向）に沿った側面６ａに沿った一方側（Ｚ２方向側）の端部６ｂに対応する領域から他方側（Ｚ１方向側）の端部６ｃに対応する領域にわたって反射シート６に形成されている。また、熱反射部６１は、図２および図６に示すように、光入射面７１（図６参照）近傍に配置されている。また、熱反射部６１は、図３および図４に示すように、ヒートシンク３に対応する形状に形成されている。
【００２９】
また、図２、図５および図６に示すように、ヒートシンク３の熱反射部６１と対向する位置には、複数個の熱逃がし孔３３が形成されている。また、図６に示すように、熱反射部６１によりヒートシンク３に向けて反射された熱が複数個の熱逃がし孔３３からヒートシンク３の背面側（Ｘ２方向側）に逃がされるように構成されている。また、熱反射部６１は、図４〜図６に示すように、金属（たとえば、アルミニウム）製のテープを反射シート６の背面側に貼付することにより設けられている。なお、熱反射部６１は、金属を蒸着することにより、反射シート６の背面側に金属製の熱反射層により構成されていてもよい。
【００３０】
また、本実施形態では、導光板７は、図１および図２に示すように、概略的には、略矩形形状に形成されている。また、導光板７は、表示部１０の背面側（Ｘ２方向側）に配置されるとともに、ＬＥＤ４２から出射されたバックライト光を表示部１０に導く機能を有している。また、導光板７は、図６に示すように、ＬＥＤ４２から出射された光が入射する光入射面７１がＬＥＤ４２に対向するように構成されている。また、導光板７は、樹脂（たとえば、アクリル樹脂）により形成されている。また、導光板７は、図２に示すように、上下方向（Ｚ方向）に一対の位置決め部７２を有している。また、位置決め部７２は、ヒートシンク３の凸部３４に対応する位置に形成されている。また、導光板７は、位置決め部７２を凸部３４に係合させて所定の位置に配置されるように構成されている。
【００３１】
光学シート８は、図５および図６に示すように、導光板７の前面側（Ｘ１方向側）に設けられている。また、光学シート８は、導光板７から出射される光を効率よく表示部１０に伝達する機能を有している。
【００３２】
樹脂フレーム９は、図５および図６に示すように、導光板７を所定の位置に固定するように構成されている。
【００３３】
表示部１０（図６参照）は、前面側（Ｘ１方向側）において画像を表示するように構成されている。また、表示部１０は、主に液晶セルにより構成されている。また、表示部１０の前面側には、図５および図６に示すように、反射防止シート１１が配置されている。
【００３４】
本実施形態では、上記のように、ヒートシンク３から放出された熱をヒートシンク３に向けて反射可能な熱反射部６１を背面側に含む反射シート６を導光板７とヒートシンク３との間に配置するとともに、熱反射部６１により反射された熱をヒートシンク３の背面側に逃すための熱逃がし孔３３を含むようにヒートシンク３を構成することによって、熱反射部６１によりヒートシンク３から放出された熱が反射シート６を介して導光板７に伝達するのを抑制しながら、熱反射部６１により反射された熱をヒートシンク３の背面側に逃がして熱反射部６１により反射された熱が熱反射部６１（反射シート６）とヒートシンク３との間に蓄積されてしまうのを抑制することができる。これにより、ヒートシンク３から放熱された熱に起因して、ヒートシンク３の形状がユーザに視認されるのを抑制することができる。その結果、ヒートシンク３から放熱された熱に起因してＴＶ１００の表示品位が低下するのを抑制することができる。
【００３５】
また、本実施形態では、反射シート６の熱反射部６１と対向する位置に複数個の熱逃がし孔３３を形成し、複数個の熱逃がし孔３３からヒートシンク３の背面側に熱を逃がすようにヒートシンク３を構成することによって、熱反射部６１によりヒートシンク３に向けて反射された熱を複数個の熱逃がし孔３３を介して容易にヒートシンク３の背面側に逃がすことができるので、熱反射部６１により反射された熱が熱反射部６１（反射シート６）とヒートシンク３との間に蓄積されるのを容易に抑制することができる。
【００３６】
また、本実施形態では、ＬＥＤ４２からの距離が大きくなるに従い、合計開口面積が大きくなるように熱逃がし孔３３を形成することによって、ＬＥＤ４２からの距離が相対的に小さい領域では、ＬＥＤ４２の熱をヒートシンク３に効率よく吸収させることができるとともに、ＬＥＤ４２からの距離が相対的に大きい領域では、熱反射部６１によりヒートシンク３に向けて反射された熱を熱逃がし孔３３を介して効率よくヒートシンク３の背面側に逃がすことができる。これにより、ＬＥＤ４２を効率よく冷却しながら、ヒートシンク３から放熱された熱の影響によりＴＶ１００の表示品位が低下するのを抑制することができる。
【００３７】
また、本実施形態では、前後方向に所定の間隔を隔てて離間した状態でヒートシンク３と反射シート６の熱反射部６１とを配置するとともに、熱反射部６１により反射された熱を熱逃がし孔３３から背面側に逃がすようにヒートシンク３を構成することによって、ヒートシンク３と熱反射部６１との間の空気を介してヒートシンク３から熱反射部６１に熱が放出されるので、熱反射部６１に対してヒートシンク３の熱を直接的に伝わりにくくすることができる。
【００３８】
また、本実施形態では、内面が黒色の色の樹脂製のリアフレーム２をヒートシンク３の背面に配置することによって、ヒートシンク３の背面側に逃がされた熱をリアフレーム２に効率よく吸収させることができる。これにより、熱反射部６１により反射された熱が熱反射部６１（反射シート６）とヒートシンク３との間に蓄積されてしまうのを効果的に抑制することができる。
【００３９】
また、本実施形態では、樹脂により形成された反射シート６の背面側に、金属製の熱反射層を形成することによって、反射シート６が樹脂により形成されている場合でも、金属製の熱反射層によりヒートシンク３から放出された熱が表示部１０に伝達するのを容易に抑制することができる。
【００４０】
また、本実施形態では、導光板７の光入射面７１に対向するように複数個のＬＥＤ４２を配置するとともに、光入射面７１に沿った一方側の端部６ｂに対応する領域から他方側の端部７ｂに対応する領域にわたって熱反射部６１を形成することによって、ＬＥＤ４２近傍のヒートシンク３の温度が高くなりやすい領域に熱反射部６１を設けることができるので、熱反射部６１によりヒートシンク３から放出された熱が表示部１０に伝達するのを効果的に抑制することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、本発明を表示装置としてのＴＶ（テレビジョン装置）に適用する例を示したが、本発明はこれに限られない。本発明は、ＰＣ（Ｐｅｒｓｏｎａｌ  Ｃｏｍｐｕｔｅｒ）のモニタなどの他の表示装置にも適用可能である。
【００４３】
また、上記実施形態では、熱逃がし孔３３の内径の大きさを変更することにより、ＬＥＤ４２からの距離が大きくなるに従い、ヒートシンク３の熱逃がし孔３３の合計開口面積が大きくなるように形成する例を示したが、本発明はこれに限られない。本発明では、図７に示す第１変形例のように、光源（ＬＥＤ４２）からの距離が大きくなるに従い、熱逃がし孔２３３の内径の大きさが一定で、かつ、熱逃がし孔２３３の数が増えるように放熱部材２０３を構成することにより、光源からの距離が大きくなるに従い、放熱部材２０３の熱逃がし孔２３３の合計開口面積が大きくなるように形成してもよい。これにより、熱逃がし孔２３３の内径の大きさを変更しなくても、熱逃がし孔２３３の配置を変えるだけで、光源の熱を放熱部材２０３に効率よく熱を吸収させることができるとともに、光源からの距離が相対的に大きい領域では、熱反射部２３３により放熱部材２０３に向けて反射された熱を熱逃がし孔２３３を介して効率よく放熱部材２０３の背面側に逃がすことができる。また、本発明では、図８に示す第２変形例のように、光源からの距離が大きくなっても、熱逃がし孔３３３の内径の大きさが一定で、かつ、熱逃がし孔３３３の数が一定（熱逃がし孔３３３が分布する割合が一定）になるように放熱部材３０３を構成することによって、放熱部材３０３の熱逃がし孔３３３の合計開口面積が略一定になるように形成してもよい。これにより、熱逃がし孔３３３を複雑な配置にしなくてよいので、熱逃がし孔３３３を含む放熱部材３０３を容易に形成することができる。
【００４４】
また、図９に示す第３変形例のように、光源からの距離が大きくなるに従い、放熱部材４０３の熱逃がし孔４３３の合計開口面積が小さくなるように形成してもよい。これにより、熱反射部により放熱部材４０３に向けて反射された熱を光源近傍の熱逃がし孔４３３を介して、光源近傍で放熱部材４０３の背面側に迅速に逃がすことができるので、表示部の中央側に対応する放熱部材４０３の領域に拡散する熱量が減らされる分、表示部の中央側に対応する放熱部材４０３の領域に熱が蓄積されてしまうのを抑制することができる。その結果、表示装置の中央領域の表示品位が低下するのをより抑制することができる。
【００４５】
また、上記実施形態では、ヒートシンク３と熱反射部６１とを、互いに、前後方向に所定の間隔を隔てて離間した状態で配置する例を示したが、本発明はこれに限られない。本発明では、放熱部材と熱反射部とを、互いに、前後方向に密着した状態で配置してもよい。これにより、表示装置の前後方向の厚みが大きくなるのを抑制することができる。
【００４６】
また、上記実施形態では、内面が黒色のリアフレーム２を設ける例を示したが、本発明はこれに限られない。本発明では、内面が黒色系の色（たとえば、濃灰色など）のリアフレームを設けてもよい。
【００４７】
また、上記実施形態では、リアフレーム２を樹脂で形成する例を示したが、本発明はこれに限られない。本発明では、リアフレームを金属で形成してもよい。これにより、放熱部材の背面側に逃がされた熱をリアフレームに吸収させて、容易に、外部に放出することができる。
【００４８】
また、上記実施形態では、反射シート６が、樹脂により形成されている例を示したが、本発明はこれに限られない。本発明では、反射シートが、金属により形成されていてもよい。
【００４９】
また、上記実施形態では、熱反射部６１をヒートシンク３に対応する位置に設ける例を示したが、本発明はこれに限られない。本発明では、図１０に示す第４変形例に示すように、熱反射部を反射シート５０６の背面側の表面の全域に形成してもよい。
【００５０】
また、上記実施形態では、導光板７のＹ１方向側の一部の領域に対応する形状のヒートシンク３を設けた例を示したが、本発明はこれに限られない。本発明では、導光板の略全体の領域に対応する形状の放熱部材を設けてもよい。
【符号の説明】
【００５１】
２  リアフレーム
３、２０３、３０３、４０３  ヒートシンク（放熱部材）
６、５０６  反射シート
７  導光板
６ｂ  端部
６ｃ  端部
１０  表示部
３３、２３３、３３３、４０３  熱逃がし孔（熱逃がし部）
４２  ＬＥＤ（光源）
６１  熱反射部
７１  光入射面
１００  ＴＶ（表示装置）
【図１】
2014153437.tif 000003
【図２】
2014153437.tif 000004
【図３】
2014153437.tif 000005
【図４】
2014153437.tif 000006
【図５】
2014153437.tif 000007
【図６】
2014153437.tif 000008
【図７】
2014153437.tif 000009
【図８】
2014153437.tif 000010
【図９】
2014153437.tif 000011
【図１０】
2014153437.tif 000012